(57)【要約】      （修正有）【課題】簡単な構成で製作工数が少なく、短時間でしかも安価に量産でき、かつ紙等を安定して挟み込み係止できる紙等の係止装置を提供する。【解決手段】内側に中空部１８を形成し内外を薄いシート片が通過しうる直線状の切り込み２０を長手方向に有する横長の支持筒体１０と、支持筒体１０の中空部１８に、直線状の切り込み２０から一枚のシート１２の折り込み部３２を挿入して、切り込みから重なり合う２個のシート片２８，３０を引き出し支持されるシート１２からなる。引き出された２個のシート片２８，３０は台部と押し付け部からなる紙等の挟み部を形成する。押し付け部は端部先端を他のシート片のシート面に付勢当接する弾性押し付け片２６を有し、台部のシート面への弾性押し付け片の先端の当接部分に紙等が挿入係止される。【選択図】図１
0003152399.tif 000002
【実用新案登録請求の範囲】
【請求項１】
内側に中空部を形成し内外を薄いシート片が通過しうる直線状の切り込みを長手方向に有する横長の支持筒体と、
支持筒体の中空部に直線状の切り込みから一枚のシートの折り込み部を挿入して切り込みから重なり合う２個のシート片を引き出し支持されるシートであり、引き出された２個のシート片が台部と押し付け部とを形成してそれらによる紙等の挟み部を形成するシートと、を含み、
押し付け部は一つのシート片の端部を台部としての他のシート片側に鋭角に折り曲げて両シート片間に強制的に間隔をあけて保持するべく端部先端を他のシート片のシート面に付勢当接する弾性押し付け片を有し、
台部のシート面への弾性押し付け片の先端の当接部分が紙等が挿入係止される紙等の挟み部とされることを特徴とする紙等の係止装置。
【請求項２】
押し付け部は、直線状切り込みでの重なり合う状態から引き出されたシート片の端部を鋭角内曲げして両シート片の端部側を押し広げることによるシート片自体の弾性反力で先端を他のシート片のシート面に密着当接させることを特徴とする請求項１記載の紙等の係止装置。
【請求項３】
押し付け部を形成するシート片を台部のシート片より前面に配置するように装置を壁面に取り付け支持することを特徴とする請求項１又は２記載の紙等の係止装置。
【請求項４】
支持筒体の一部を壁面に貼着して固定することを特徴とする請求項１ないし３のいずれかに記載の紙等の係止装置。
【請求項５】
支持筒体は、断面で略鋭角三角形状を成し、その鋭角頂点部分に直線状の切り込みが形成されていることを特徴とする請求項１ないし４のいずれかに記載の紙等の係止装置。
【請求項６】
切り込みから引き出される２個のシート片の引き出ししろは、支持筒体の長さより短いことを特徴とする請求項１ないし５のいずれかに記載の紙等の係止装置。
【考案の詳細な説明】
【技術分野】
【０００１】
本考案は、メモや伝票類、商品ポップ等のシートや紙類の仮支持に用いられる紙等の係止装置に関する。
【背景技術】
【０００２】
備忘用メモ、伝言用メモ、伝票類等のシートや用紙を簡易に紙挟みに挟んだ状態で保持させて備忘、伝言等に用いるニーズがある。従来、紙挟みとして特許文献１の提案がなされている。
【先行技術文献】
【特許文献】
【０００３】
【特許文献１】特開２００２−１２０４８１号公報
【考案の概要】
【考案が解決しようとする課題】
【０００４】
特許文献１には紙を挟みつけるのに十分な力を有し、安定して紙を挟むことができしかも安価に製作できる紙挟みを提案するものとして、合成樹脂シートを折畳んで組立てたシート組立式紙挟みが開示されている。しかしながら、この特許文献１の紙挟みでは、一方向に長い矩形の合成樹脂シートの一端寄り側に切抜きや切り込み部を形成し、他端側にそれらの切抜きや切り込み部に差し込み組立てするための複数の突片や耳部を形成させ、シートを複数回折曲し、突片や耳部を切抜きや切り込み部に挿入させて組み付けたものであり、突片や耳部を複数回折畳んで切抜きや切り込み部に挿入させるためにそれぞれの位置決め精度を維持した製作が必要となる。また、一方向に長い長方形状の合成樹脂シートが必要で材料コストがかかる上に、複数回の折畳み作業や切抜きや切り込み加工が必要で組み立て、加工工数が多く製作コストが高いという問題がある。さらに、長方形状のシートの突片や耳部形成加工で長方形状から細長い大小の切欠きを製作する工程が必要となり、これによっても加工時間を長くさせるものとなっていた。また、特許文献１の紙挟みでは、一方向に長い矩形の合成樹脂シートを長手方向に直交する線で折畳み組み立てるものであるから、幅広のシートを挟めるような紙挟みはコストや重量化のための実用性の点で現実には商品化が困難であった。
【０００５】
本考案は上記従来の課題に鑑みてなされたものであり、その目的は、簡単な構成で製作工数が少なく、短時間でしかも安価に量産でき、かつ紙等を安定して挟み込み係止できる紙等の係止装置を提供することにある。また、本考案の他の目的は、組立て時に嵩張らずすっきりしたデザインでしかも軽量で横幅の大きなシート等についても係止可能な紙等の係止装置を提供することである。
【課題を解決するための手段】
【０００６】
上記課題を解決するために本考案は、内側に中空部１８を形成し内外を薄いシート片２８、３０が通過しうる直線状の切り込み２０を長手方向に有する横長の支持筒体１０と、支持筒体１０の中空部１８に直線状の切り込み２０、５０から一枚のシートの折り込み部３２、５２を挿入して切り込み２０から重なり合う２個のシート片２８、３０を引き出し支持されるシートであり、引き出された２個のシート片２８、３０が台部１４と押し付け部１６とを形成してそれらによる紙等の挟み部Ｐを形成するシート１２と、を含み、押し付け部１６は一つのシート片２８の端部を台部１４としての他のシート片３０側に鋭角に折り曲げて両シート片２８、３０間に強制的に間隔をあけて保持するべく端部先端２６ａを他のシート片２８のシート面に付勢当接する弾性押し付け片２６を有し、台部１４のシート面２８ａへの弾性押し付け片２６の先端２６ａの当接部分が紙等が挿入係止される紙等の挟み部Ｐとされる紙等の係止装置１、２から構成される。３回程度折り曲げられたられたシートとこれを支持する支持筒体のみの基本構成で装置を構成でき、確実な紙等の係止支持力を確保しつつ製作容易、軽量、小形、低コスト、デザイン性等を確保する。
【０００７】
その際、押し付け部１６は、直線状切り込み２０、５０での重なり合う状態から引き出されたシート片の端部を鋭角内曲げして両シート片２８、３０の端部側を押し広げることによるシート片自体の弾性反力で先端２６ａを他のシート片２８のシート面２８ａに密着当接させるとよい。
【０００８】
また、押し付け部１６を形成するシート片３０を台部１４のシート片２８より前面に配置するように装置１、２を壁面Ｗに取り付け支持するとよい。
【０００９】
また、支持筒体１０の一部を壁面Ｗに貼着して固定させるとよい。
【００１０】
また、支持筒体１０は、断面で略鋭角三角形状を成し、その鋭角頂点部分に直線状の切り込みが形成されているとよい。
【００１１】
さらに、切り込み２０、５０から引き出される２個のシート片２８、３０の引き出ししろは、支持筒体１０の長さより短く設定するとよい。
【考案の効果】
【００１２】
本考案の紙等の係止装置によれば、内側に中空部を形成し内外を薄いシート片が通過しうる直線状の切り込みを長手方向に有する横長の支持筒体と、支持筒体の中空部に直線状の切り込みから一枚のシートの折り込み部を挿入して切り込みから重なり合う２個のシート片を引き出し支持されるシートであり、引き出された２個のシート片が台部と押し付け部とを形成してそれらによる紙等の挟み部を形成するシートと、を含み、押し付け部は一つのシート片の端部を台部としての他のシート片側に鋭角に折り曲げて両シート片間に強制的に間隔をあけて保持するべく端部先端を他のシート片のシート面に付勢当接する弾性押し付け片を有し、台部のシート面への弾性押し付け片の先端の当接部分が紙等が挿入係止される紙等の挟み部とされる構成であるから、基本的には、小さな矩形のシートと支持筒体のみの構成でしかも極めて簡単に製作することができ、製作工数が少なく、短時間でしかも安価に量産でき、かつ紙等を安定して挟み込み係止することができる。また、組立て時に嵩張らずすっきりしたデザインでしかも小形に形成でき、嵩張りがなく、狭小の壁面等を利用して複数設置することができる。
【００１３】
また、押し付け部は、直線状切り込みでの重なり合う状態から引き出されたシート片の端部を鋭角内曲げして両シート片の端部側を押し広げることによるシート片自体の弾性反力で先端を他のシート片のシート面に密着当接させる構成であるから、合成樹脂製等のシートの簡単な折り曲げ構成のみで紙等の挟み部を形成でき、簡単な構造で製作容易、軽量、小形、低コスト、短時間製作、量産性等を備えることが可能である。
【００１４】
また、押し付け部を形成するシート片を台部のシート片より前面に配置するように装置を壁面に取り付け支持する構成であるから、装置の正面側からの利用者の係止させたい紙等の挿入係止、離脱操作を具体的に行なう構成を実現し得る。
【００１５】
また、支持筒体の一部を壁面に貼着して固定する構成であるから、支持筒体の壁面への貼着時に垂下したシート片の引き出し口部分となる直線状切り込みが壁面側に変位することによる押し付け部１６側のシート片３０の素材の弾発付勢力により先端部分を台部のシート片のシート面に密着当接させる結果、紙等の挟み力をより大きなものとすることができる。
【００１６】
また、支持筒体は、断面で略鋭角三角形状を成し、その鋭角頂点部分に直線状の切り込みが形成されている構成であるから、支持筒体の側部を壁面へ貼着すると、直線状切り込み部分が壁面側に変位し、押し付け部側のシート片の素材の弾発付勢力を確実に生じさせて先端部分を台部のシート片のシート面に確実に密着当接させることができる。
【００１７】
また、切り込みから引き出される２個のシート片の引き出ししろは、支持筒体の長さより短い構成であるから、シート並びにシート片を小さな大きさのシート面で構成でき、軽量、小形コンパクト、製作容易等を具体的に実現し得る。
【図面の簡単な説明】
【００１８】
【図１】本考案の実施形態に係る紙等の係止装置の側面拡大図である。
【図２】図１の紙等の係止装置の正面図である。
【図３】図１の紙等の係止装置の支持筒体部分の一部省略拡大斜視図である。
【図４】（ａ）、（ｂ）、（ｃ）は、図１の装置の支持筒体の断面形状の例を示す図である。
【図５】図１の装置のシートの展開図である。
【図６】図１の装置を壁面に貼付した状態の説明図である。
【図７】図１の装置の挟み部に紙を差し込んで係止させた状態を示す側面説明図である。
【図８】本考案の第２の実施形態に係る紙等の係止装置の分解構成図である。
【考案を実施するための形態】
【００１９】
以下添付図面を参照しつつ本考案の紙等の係止装置の実施形態について説明する。本考案の紙等の係止装置は、例えば自身の備忘のためのメモをわかりやすい場所に掲示したり、会議や打ち合わせの際の現状の表示のための紙（シート）等の掲示、博物館、美術館などでの個々の対象物説明表示用紙（シート）等の掲示、小売・卸売店での商品ポップ（シート）の掲示、オフィスでの伝言のためのメモの掲示、その他イベント会場などの来場者等に向けての伝達シートの掲示等々のために、その際の文字や図形等を表示した紙やシートを着脱自在に係止する装置である。以下、紙等の係止装置の紙等には文字や図形、記号その他の表示を施した用紙や重量の軽い合成樹脂シートなどを含む。
【００２０】
図１ないし図７は、本考案の紙等の係止装置の実施形態を示している。図１は、実施形態に係る紙等の係止装置の拡大側面図であり、図において、紙等の係止装置１は、基本的には支持筒体１０と、１枚のシート１２と、から構成されている。シート１２は、台部１４と、押し付け部１６と、から構成されている。紙等の係止装置１は、図２の正面図に示すように、通常は、紙等を係止させて装置を使用する人が装置正面に正対した状態で使用される。
【００２１】
支持筒体１０は、紙等の挟み部Ｐを形成するシート１２の支持手段であり、支持筒体１０を任意の壁面等に横長方向に取り付けてシート片を下部に舌片状に垂下支持させる。実施形態において、支持筒体１０は、内側に中空部１８を形成した一方向に長い直状の筒状体であり、例えば断面で１ｃｍ×１ｃｍの方形に含まれる程の大きさで環形状に形成されている。支持筒体１０は軽量で大きな強度を必要とされることはなく、例えば合成樹脂の成形体、紙、竹、木、軽金属、その他筒体としての形状を保持しうる任意の材料で形成されている。本実施形態では、合成樹脂の成形体で構成されており、環状に成形した状態で形状保持力を有し全体としてある程度の弾性を有するようになっている。
【００２２】
支持筒体１０の断面あるいは端面形状は、基本的には内部に中空部１８を形成して取り囲む環形状であれば任意形状に設定できる。図４は支持筒体１０の種々の端面形状を示しており、（ａ）弾丸輪郭形状や、（ｂ）三角形状、（ｃ）楕円形状などが挙げられる。本実施形態では、図１に示すように支持筒体１０は断面が鋭角二等辺三角形状として形成されている。
【００２３】
さらに、支持筒体１０には直線状の切り込み２０が長手方向に設けられている。切り込み２０は、後述する抜け止め機能を施した一枚のシート１２の折り込み部を差し入れて支持筒体１０の内部の中空部１８と外周周辺とを内外通過させ得る通過スリット溝であり、支持筒体１０の全長にわたって直線状に設けられて支持筒体の両端まで連続する連続溝としてもよいし、両端まで切り込まれない長溝でもよい。その際、間隔を開けた複数の直線状溝を直列状に配置した構成とすることもできる。本実施形態では、支持筒体１０の両端まで切り込まれた長溝構成としている。実施形態において、支持筒体の全長幅にわたる切り込み２０が形成されているが、この場合、素材としての長方形状の板材を短辺幅方向に環状に曲げて成形することで連続したスリット溝として構成している。支持筒体１０は、断面で逆二等辺三角形の下端の鋭角頂点部分に直線状の切り込み２０が形成されている。
【００２４】
紙等の係止装置１は、支持筒体１０を任意の壁面やフレームなどに支持させて用いられる。好ましくは、支持筒体が動かないように壁面やフレーム等の支持物に貼着固定させるとよい。実施形態において、支持筒体１０の切り込み２０が下端に位置するように支持筒体１０を配置させた状態でその支持筒体１０の側部に壁面等への接着部材２２が取り付けられている。本実施形態において接着部材２２は、剥離紙を表面に被着した両面テープから構成されている。両面テープによる壁面等への接着によっても支持筒体１０及びシート１２、並びに係止させる紙やシート等を十分に支持できる程、装置全体が軽量に構成されている。
【００２５】
シート１２は、支持筒体１０と協働して台部１４と押し付け部１６とを形成し、さらに紙等の挟み部Ｐを形成する一枚シートによる紙挟み手段であり、基本的に一枚のシートに３箇所の折り込み２４ａ、２４ｂ、２４ｃを形成し、しかも全体として小さな面積の縦横サイズで形成されている。シート１２は、可撓性並びに形状復元性を有する例えば厚さが１００μｍ程度の薄い素材が好ましく、例えば合成樹脂材料、合成紙、紙、合成樹脂フィルムをラミネートした合成紙や紙等を用いることができる。本実施形態では図５のように、シート１２は、支持筒体の長さと略同じ長さの全体が長矩形で長辺側をそれぞれ内側に折り込んで支持筒体１０に組み付けられる。図５において、長矩形シートの短辺側端部寄りに長辺と平行に第１折り込み２４ａが形成され、さらに、シート全体の短辺中央部に第２、第３折り込み２４ｂ、２４ｃが近接して平行に配置されている。最下端の第３折り込み２４ｃで区画される大きいほうの面積部分が第１シート片２８を形成し、第２折り込み２４ｂで区画される第１シート片と対向離隔する部分第２シート片３０を形成する。第２、第３折り込み２４ｂ、２４は、上述した直線状の切り込み２０から挿入されるシートの挿入折り込み部３２を構成する。第１折り込み２４ａで区画される細長帯部は鋭角に内側に曲折されて弾性押し付け片２６を形成する。図１に示すように、第１、第２、第３折り込み２４ａ、２４ｂ、２４ｃは、それぞれ１枚の長矩形シートを短辺側に畳み込むように同じ方向に曲げられて保持される。本実施形態において、シート１２は、合成樹脂製シート（フィルムシート）を使用しているが、シートの種類はこれに限定されず、例えばポリエチレン、ポリプロピレン、ポリエチレンテレフタラートその他のプラスチックシート（フィルムシート）を使用することもできる。
【００２６】
支持筒体１０にシート１２を組み付けるには、図５の第２、第３折り込み２４ｂ、２４ｃをそれぞれ同じ方向に８５度程度の緩い鋭角で折り曲げ，さらに第１折り込み２４ａを２５度程度の急な鋭角で折り曲げてそれぞれ挿入折り込み部３２並びに弾性押し付け片２６を形成する。そして、第２又は第３の折り込み２４ｂ、２４ｃのいずれかを押し曲げて第１、第２シート片２８、３０を重ね合わせた状態とし、その状態で例えば支持筒体１０の両端のうちのいずれかの開放部から挿入折り込み部３２を支持筒体１０の中空部１８内に対応させて挿入するとともに、挿入折り込み部３２の下側のシート重合部を直線状切り込み２０を若干押し開くようにして強制的に切り込み２０内に押し入らせ、この状態でシート全体を支持筒体の他端部まで引き込むことにより、組み付けが完了する。これによって、切り込み２０から重なり合う２個のシート片２８、３０が下方に垂下して引き出された状態で支持される。シート片２８、３０のうちのいずれかを引き下げると挿入折り込み部３２が再び８５度程度の緩い２つの鋭角を有する逆二等辺三角形状となり、これによって、シート片２８、３０は下方引き出し方向に対しては強固な抜け止めが施されて支持筒体１０に一体化する。そして、引き出された２個のシート片のうちの１つが台部１４とされるとともに、他が押し付け部１６とされる。実施形態において、押し付け部１６を形成するシート片３０は台部１４のシート片２８より前面に配置させて壁面Ｗに取り付け支持される。図２に示すように、切り込み２０から引き出される２個のシート片２８、３０の引き出ししろは、支持筒体１０の長手方向長さより短く設定されている。係止させる紙Ｋ等を挟み部Ｐに挿入しそのまま上方に向けて紙等を差し入れることにより紙等の上端部が第１、第２シート片２８、３０間に挟みつけられることとなるから、切り込み２０部分より若干下方位置に弾性押し付け片２６の位置を設定しても紙Ｋ等を挟んで十分に係止させることができ（図７参照）、このため、シート片２８、３０の大きさを十分に小形に形成することができ、確実な係止と同時に軽量化、低コスト維持を達成しうる。２つのシート片２８、３０は垂下状態で直線状切り込み２０部分で緊締されて密着重合される一方、下方は第２シート片３０の押し付け部１６の弾性押し付け片２６が急峻鋭角に曲げられて先端２６ａを第１シート片２８のシート面２８ａに弾性的に付勢当接して、両シート片間に強制的に間隔をあけて保持させている。この弾性押し付け片２６の台部１４側への弾発押し付け付勢力により弾性押し付け片２６の先端２６ａの当接部分が紙等が挿入係止される紙等の挟み部Ｐとされる。
【００２７】
図６、図７は、本装置１の壁面への取付作用を説明しており、第１、第２シート片２８、３０を垂下させた状態で支持筒体の側部に両面テープを接着させ、壁面Ｗに接着させると、図１の反転二等辺三角形状が図６、図７のように壁面から離隔する方向に上部の三角形底辺側が揺動状に変位し、このため、直線状切り込み２０部分で第２シート片３０の下端側を第１シート片２８側に押し付ける方向の応力Ｒが発生し、これによって、挟み部Ｐに挿入される紙等をより確実に係止保持させることができる（図７）。なお、弾性押し付け片２６による挟み部Ｐでの紙等の係止はこの支持筒体１０の壁面貼着とは無関係に生じうるものであり、単に支持筒体１０の両端をクランプ部材等で挟んで固定したり、吊支状に支持する場合であっても、紙等の係止機能を保持するものである。紙等の柔軟な素材でも簡単に挟み部Ｐから挿入して上方に向けて突き当たる程度まで軽く挿入させるだけで係止保持することができる。また、離脱するときもほとんど抵抗を感じることなく利用者が引き出すことができる。
【００２８】
これによって、中空支持筒体１０、薄い軽量シート１２のみの基本構成で、シート１２の３回程度の折り込みのみで装置を構成することができ、しかも台部１４と押し付け部１６による挟み部Ｐの形成は、直線状切り込み２０にある程度近接した位置であるのがよいので、結局シート全体としても図５に示すように極めて小形のものとなり、具体的に紙やシート類の係止を簡単かつ確実に行なうものである。
【００２９】
本考案の紙等の係止装置は、例えば上記構成により極めて安価で、軽量、簡単構造であり、複数の装置をボードに並べて貼着固定して使用することができる。
【００３０】
上記の実施形態では、支持筒体１０に設けられた直線状の切り込み２０は、支持筒体１０の両端まで連続して切り込まれた長溝構成としているが、図８に示すように、両端まで切り込まずに支持筒体の長さの中間に間欠状に複数の長溝を直列配置させる構成としてもよい。この第２実施形態の紙等の係止装置２では、支持筒体１０に３個の直線状切り込み５０Ａ、５０Ｂ、５０Ｃとして、シートの２枚重ね合わせ幅よりわずかに大きな幅の長溝を直列状に設け、これに対応する位置に段付き状に突設する３個の挿入折り込み部５２Ａ、５２Ｂ、５２Ｃを形成している。そして、３個の挿入折り込み部５２Ａ、５２Ｂ、５２Ｃをそれぞれ３個の直線状切り込み５０Ａ、５０Ｂ、５０Ｃに下部の切り込み開放側から重ね状態で挿入し、挿入後いずれかのシート片を引き下げると中空部１８で挿入折り込み部が逆三角形状を形成し、抜け止めストッパとして機能することとなる。
【００３１】
以上説明した本考案の紙等の係止装置は、上記した実施形態の構成のみに限定されるものではなく、実用新案登録請求の範囲に記載した考案の本質を逸脱しない範囲においてなされる改変も本考案に含まれる。
【産業上の利用可能性】
【００３２】
本考案の紙等の係止装置は、自身の備忘のためのメモの掲示、会議や打ち合わせの際の現状の表示のための紙（シート）等の掲示、博物館、美術館などでの個々の対象物説明表示用紙（シート）等の掲示、小売・卸売店での商品ポップ（シート）の掲示、オフィスでの伝言のためのメモの掲示、その他イベント会場などの来場者等に向けての伝達シートの掲示等のために好適に用いることができる。
【符号の説明】
【００３３】
１  第１実施形態の紙等の係止装置
２  第２実施形態の紙等の係止装置
１０  支持筒体
１２  シート
１４  台部押し付け部
１８  中空部
２０  直線状切り込み
２６  弾性押し付け片
２８  第１シート片
３０  第２シート片
３２  挿入折り込み部
５０  直線状切り込み（第２実施形態）
５２  挿入折り込み部（第２実施形態）
Ｐ  挟み部
【図１】
0003152399.tif 000003
【図２】
0003152399.tif 000004
【図３】
0003152399.tif 000005
【図４】
0003152399.tif 000006
【図５】
0003152399.tif 000007
【図６】
0003152399.tif 000008
【図７】
0003152399.tif 000009
【図８】
0003152399.tif 000010